【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
白色インクと、少なくとも１つのカラーインクとを含むインクから成る少なくとも第１の層を印刷するステップであって、前記インクから成る第１の層が、白色インクとカラーインクとの所定の第１の比を有するステップと、
前記白色インクと、前記少なくとも１つのカラーインクとを含むインクから成る少なくとも第２の層を印刷するステップであって、前記インクから成る第２の層が、前記第１の比とは異なる、白色インクとカラーインクとの所定の第２の比を有するステップと、
を含むカラー印刷の方法であって、
前記第１の比が前記第２の比よりも白色インクの割合が大きい、方法。
【請求項２】
前記白色インクと、前記少なくとも１つのカラーインクとを含むインクから成る少なくとも第３の層を印刷するステップであって、前記インクから成る第３の層が、前記第２の比および前記第１の比とは異なる、白色インクとカラーインクとの所定の第３の比を有するステップと、
前記白色インクと、前記少なくとも１つのカラーインクとを含むインクから成る少なくとも第４の層を印刷するステップであって、前記インクから成る第４の層が、前記第３の比、前記第２の比および前記第１の比とは異なる、白色インクとカラーインクとの所定の第４の比を有するステップと、
をさらに含み、
前記第２の比は前記第３の比よりも白色インクの割合が大きく、前記第４の比は前記第３の比よりもカラーインクの割合が大きい、請求項１に記載の方法。
【請求項３】
前記白色インクは実質的に不透明であり、および前記少なくとも１つのカラーインクは実質的に半透明である、請求項１または請求項２に記載の方法。
【請求項４】
印刷された前記インクから成る層は耐摩耗性である、請求項１〜請求項３のいずれかに記載の方法。
【請求項５】
印刷された前記インクから成る層は、テキスタイルまたは繊維材料の上に印刷される、請求項１〜請求項４のいずれかに記載の方法。
【請求項６】
前記白色インクおよび前記少なくとも１つのカラーインクは印刷時に混ざる、請求項１〜請求項５のいずれかに記載の方法。
【請求項７】
白くない基材上に印刷された場合、カラー精度が維持される、請求項１〜請求項６のいずれかに記載の方法。
【請求項８】
多重印刷層を含む少なくとも１つのカラーを基材上に印刷するステップを含む、カラーマネジメントの方法であって、
前記多重印刷層は、
白色インクと、少なくとも１つのカラーインクとを含むインクから成る少なくとも第１の層であって、前記第１の層が、白色インクと前記カラーインクとの所定の第１の比を有する、少なくとも第１の層と、
前記白色インクと、前記少なくとも１つのカラーインクとを含むインクから成る少なくとも第２の層であって、前記第２の層が、前記第１の比とは異なる、白色インクとカラーインクとの所定の第２の比を有する、少なくとも第２の層と、を備え、
前記第１の比は、前記第２の比よりも白色インクの割合が大きい、方法。
【請求項９】
前記多重印刷層は、
前記白色インクと、前記少なくとも１つのカラーインクとを含むインクから成る第３の層であって、前記第２の比および前記第１の比とは異なる、白色インクとカラーインクとの所定の第３の比を有する、少なくとも１つの第３の層と、
前記白色インクと、前記少なくとも１つのカラーインクとを含むインクから成る第４の層であって、前記第３の比、前記第２の比および前記第１の比とは異なる、白色インクとカラーインクとの所定の第４の比を有する、少なくとも１つの第４の層と、をさらに含み、
前記第２の比は前記第３の比よりも白色インクの割合が大きく、および前記第４の比は前記第３の比よりもカラーインクの割合が大きい、請求項８に記載の方法。
【請求項１０】
ホットメルト印刷の方法であって、
印刷材料としての不透明材料および少なくとも１つの半透明着色材料から成る溶融物を基材上に印刷するステップであって、前記不透明材料および前記少なくとも１つの半透明着色材料が、異なるプリントヘッドから供給されるステップを含み、
前記不透明材料および前記少なくとも１つの半透明着色材料は前記基材上で混合され、前記印刷するステップは、
前記不透明材料と前記少なくとも１つの半透明着色材料とから成る多重印刷層を含む少なくとも１つのカラーを印刷するステップをさらに含み、前記多重印刷層は、
前記不透明材料と前記少なくとも１つの半透明着色材料とを含む少なくとも第１の層であって、不透明材料と半透明着色材料との所定の第１の比を有する第１の層と、
前記不透明材料と前記少なくとも１つの半透明着色材料とを含む少なくとも第２の層であって、前記第１の比とは異なる、不透明材料と半透明着色材料との所定の第２の比を有する第２の層と、を備え、
前記第１の比は、前記第２の比よりも前記不透明材料の割合が大きい、方法。
【請求項１１】
前記多重印刷層は、
前記不透明材料と前記少なくとも１つの半透明着色材料とを含む少なくとも第３の層であって、前記第２の比および前記第１の比とは異なる、不透明材料と半透明着色材料との所定の第３の比を有する第３の層と、
前記不透明材料と前記少なくとも１つの半透明着色材料とを含む少なくとも第４の層であって、前記第３の比、前記第２の比および前記第１の比とは異なる、不透明材料と半透明着色材料との所定の第４の比を有する第４の層と、をさらに備え、
前記第２の比は前記第３の比よりも前記不透明材料の割合が大きく、および前記第４の比は前記第３の比よりも前記半透明着色材料の割合が大きい、請求項１０に記載の方法。
【請求項１２】
カラー精度は、前記印刷層の少なくとも部分的な摩耗があっても維持される、請求項１０または請求項１１に記載の方法。
【請求項１３】
前記基材は、テキスタイルまたは繊維材料である、請求項１０〜請求項１２のいずれかに記載の方法。
【請求項１４】
前記印刷材料は、異なる印刷ヘッドから同時に吐出される、請求項１０〜請求項１３のいずれかに記載の方法。
【請求項１５】
白くない基材上に印刷した場合に、カラー精度が維持される、請求項１０〜請求項１４のいずれかに記載の方法。
【請求項１６】
引っかきまたは摩耗基材の損傷が、前記半透明着色材料から成る薄い色を露出させる、請求項１０〜請求項１５のいずれかに記載の方法。
【請求項１７】
前記基材は、テキスタイル、天然生地、合成生地、ニット材料、織布材料、不織布材料、天然繊維、合成繊維、綿、ウール、麻、絹、ナイロン、スパンデックス、ポリエステル、レーヨン、ポリプロピレン、メッシュ、革、合成皮革、ポリマー、ゴム、発泡材料、衣類、履物、縁のある帽子、縁なし帽子、シャツ、ジャージ、ジャケット、ソックス、ショーツ、パンツ、下着、スポーツ用サポート下着、手袋、リストバンド／アームバンド、スリーブ、ヘッドバンドおよびこれらの素材のうちのいずれかの組合せから選択される、請求項１０〜請求項１６のいずれかに記載の方法。
【請求項１８】
前記印刷材料は、インク、染料、樹脂、アクリル、ポリマー、熱可塑性材料、熱硬化性材料および光硬化材料から選択される、請求項１０〜請求項１７のいずれかに記載の方法。
【請求項１９】
混合された半透明カラーインクと不透明白色インクとの加法印刷によって、所望のカラーを白くない基材上に印刷する方法であって、
不透明白色インクと、少なくとも１つの実質的に半透明のカラーインクとから成る第１の混合物を含むインクから成る少なくとも第１の層を、前記白くない基材上に印刷するステップであって、前記インクから成る第１の層が、１：１以下の白色インクとカラーインクとの所定の第１の比を有するステップと、
前記不透明白色インクと、前記少なくとも１つの実質的に半透明のカラーインクとから成る第２の混合物を含むインクから成る少なくとも第２の層を、前記白くない基材上に印刷するステップであって、前記インクから成る第２の層が、１：１以下の白色インクとカラーインクとの所定の第２の比を有するステップと、を含み、
前記第１の比と前記第２の比とは実質的に等しく、および
前記第１の印刷層と前記第２の印刷層との合計は、可視スペクトルにおいて、不透明カラーインクを用いて白い基材上に印刷された同じカラーと光学的に見分けがつかない前記所望のカラーを生じさせる、方法。
【請求項２０】
前記不透明白色インクと、前記少なくとも１つの実質的に半透明のカラーインクとから成る第３の混合物を含むインクから成る少なくとも第３の層を、前記白くない基材上に印刷するステップであって、前記インクから成る第３の層が、１：１以下の白色インクとカラーインクとの所定の第３の比を有するステップと、
前記不透明白色インクと、前記少なくとも１つの実質的に半透明のカラーインクとから成る第４の混合物を含むインクから成る少なくとも第４の層を、前記白くない基材上に印刷するステップであって、前記インクから成る第４の層が、１：１以下の白色インクとカラーインクとの所定の第４の比を有するステップと、をさらに含み、
前記第１の比と、前記第２の比と、前記第３の比と前記第４の比とは実質的に等しく、および
前記第１の印刷層と、前記第２の印刷層と、前記第３の印刷層と、前記第４の印刷層との合計は、可視スペクトルにおいて、不透明カラーインクを用いて白い基材上に印刷された同じカラーと光学的に見分けがつかない前記所望のカラーを生じさせる、請求項２４に記載の方法。
【請求項２１】
混合された半透明カラーインクと不透明白色インクとの加法印刷によって、少なくとも１つの所望のカラーを白くない基材上に印刷する方法であって、前記所望のカラーが多重印刷層を備え、前記多重印刷層は、
不透明白色インクと、少なくとも１つの実質的に半透明のカラーインクとから成る第１の混合物を含むインクから成る少なくとも第１の層であって、前記インクから成る第１の層が、１：１以下の白色インクとカラーインクとの所定の第１の比を有する第１の層と、
前記不透明白色インクと、前記少なくとも１つの実質的に半透明のカラーインクとから成る第２の混合物を含むインクから成る少なくとも第２の層であって、前記インクから成る第２の層が、１：１以下の白色インクとカラーインクとの所定の第２の比を有する第２の層と、を備え、
前記第１の比と前記第２との比とは実質的に等しく、および
前記第１の印刷層と前記第２の印刷層との合計は、可視スペクトルにおいて、不透明カラーインクを用いて白い基材上に印刷された同じカラーと光学的に見分けがつかない前記所望のカラーを生じさせる、方法。
【請求項２２】
前記多重印刷層は、
前記不透明白色インクと、前記少なくとも１つの実質的に半透明のカラーインクとから成る第３の混合物を含むインクから成る少なくとも第３の層であって、１：１以下の白色インクとカラーインクとの所定の第３の比を有する第３の層と、
前記不透明白色インクと、前記少なくとも１つの実質的に半透明のカラーインクとから成る第４の混合物を含むインクから成る少なくとも第４の層であって、１：１以下の白色インクとカラーインクとの所定の第４の比を有する第４の層と、
をさらに備え、
前記第１の比と、前記第２の比と、前記第３の比と前記第４の比とは実質的に等しく、および
前記第１の印刷層と、前記第２の印刷層と、前記第３の層と、前記第４の層との合計は、可視スペクトルにおいて、不透明カラーインクを用いて白い基材上に印刷された同じカラーと光学的に見分けがつかない前記所望のカラーを生じさせる、請求項２１に記載の方法。
【請求項２３】
不透明材料と少なくとも１つの半透明着色材料とから成る溶融物を、白くない基材上に印刷するホットメルト印刷の方法であって、前記不透明材料および前記少なくとも１つの半透明着色材料が、異なるプリントヘッドから供給されるステップを含み、
前記不透明材料および前記少なくとも１つの半透明着色材料は前記基材上で混合し、前記印刷するステップは、
前記不透明材料と前記少なくとも１つの半透明着色材料とから成る多重印刷層を含む少なくとも１つの所望のカラーを印刷するステップをさらに含み、前記多重印刷層は、
前記不透明材料と前記少なくとも１つの半透明着色材料とを含む少なくとも第１の層であって、１：１以下の不透明材料と半透明着色材料との所定の第１の比を有する第１の層と、
前記不透明材料と前記少なくとも１つの半透明着色材料とを含む少なくとも第２の層であって、１：１以下の不透明材料と半透明着色材料との所定の第２の比を有する第２の層と、を備え、
前記第１の比と前記第２の比とは実質的に等しく、および
前記第１の印刷層と前記第２の印刷層との合計は、可視スペクトルにおいて、不透明カラーインクを用いて白い基材上に印刷された同じカラーと光学的に見分けがつかない前記所望のカラーを生じさせる、方法。
【請求項２４】
前記多重印刷層は、
前記不透明材料と前記少なくとも１つの半透明着色材料とを含む少なくとも第３の層であって、１：１以下の不透明材料と半透明着色材料との所定の第３の比を有する第３の層と、
前記不透明材料と前記少なくとも１つの半透明着色材料とを含む少なくとも第４の層であって、１：１以下の不透明材料と半透明着色材料との所定の第４の比を有する第４の層と、をさらに備え、
前記第１の比と、前記第２の比と、前記第３の比と、前記第４の比とは実質的に等しく、および
前記第１の印刷層と、前記第２の印刷層と、前記第３の印刷層と、前記第４の印刷層との合計は、可視スペクトルにおいて、不透明カラーインクを用いて白い基材上に印刷された同じカラーと光学的に見分けがつかない前記所望のカラーを生じさせる、請求項２３に記載の方法。
【手続補正２】
【補正対象書類名】明細書
【補正対象項目名】発明の名称
【補正方法】変更
【補正の内容】
【発明の名称】多重カラー印刷
【手続補正３】
【補正対象書類名】明細書
【補正対象項目名】０１２０
【補正方法】変更
【補正の内容】
【０１２０】
実施形態によれば、およびさらに図１９を参照すると、損傷が、靴１８００のスクラッチ１８１０によって図示されている。図示されているように、および図１６および図１７に関連して既に説明したように、印刷領域１８０５を通過する光線は、印刷領域１８０５の印刷領域と、スクラッチ１８１０の印刷領域との間に高いコントラスト差をもたらさない。既に説明したように、観察者は、印刷層１８０５の１つ以上の層から、およびクラック１８１０によって露出された領域から反射した光線の組合せを見る可能性がある。すなわち、下にある印刷層は、半透明のカラーインクと、不透明な白色インクとの混合物を含んでいるため、１つ以上の露出した下にある層からのカラーは、それら１つ以上の下にある層がクラック１８１０によって露出された場合に、観察者に見えることになる。したがって、印刷領域１８０５およびクラック１８１０を見た場合、クラック１８１０は、印刷領域１８０５の全体のカラーよりもわずかに明るいカラーまたはわずかに暗いカラーで見えるにすぎない可能性がある。しかし、図１９にも図示されているように、これは、従来の方法に従って印刷された領域を含む靴から同様に反射された光を見た場合に観察できるものとは対照的である。